(57)【要約】【課題】リール足の緊締力を向上させてリール保持の安定性を向上させる。【解決手段】フード部１６Ｆにリールの足２０Ｆを受け入れて釣竿に対してリールを保持固定するためであって、ナット部材１８の回動操作によって前後方向に移動可能な移動フード体１６は、少なくとも前記フード部の長手方向範囲の環状部１６Ｋが、リール足を緊締することによって横断面形状が変形可能な可撓性部であり、更に移動フード体が釣竿に対して回動不能となる回り止め部１６Ｔを有するよう構成する。【選択図】        図１
2004248546.tif 000002
【特許請求の範囲】
【請求項１】
フード部にリールの足を受け入れて釣竿に対してリールを保持固定するためであって、ナット部材の回動操作によって前後方向に移動可能な移動フード体は、少なくとも前記フード部の長手方向範囲の環状部が、リール足を緊締することによって横断面形状が変形可能な可撓性部であり、更に移動フード体が釣竿に対して回動不能となる回り止め部を有していることを特徴とする釣竿。
【発明の詳細な説明】
【０００１】
【発明の属する技術分野】
本発明は、リール装着部における移動フード体のフード部を含む環状部が変形可能な釣竿に関する。
【０００２】
【従来の技術】
リールを装着固定するリール固定装置としては、典型的には、フードの一方が固定フードであって他方が移動フード体のフード部であり、移動フード体をナット部材の回転操作によって前後方向に移動させてリールの足を緊締する形態が用いられている。その場合、フード部を有する移動フード体には、釣竿の径方向一側に設けられる板状のものや、円周全体に亘る環状のものがある。やや特殊な形態であって、全体の位置を適宜変更できるリール固定装置として、本出願人による下記特許文献１に開示のもの等がある。
【特許文献１】
特許第２８７２８７８号公報
【０００３】
【発明が解決しようとする課題】
従来の典型的なリール固定装置では、緊締力や緊締位置や緊締操作性や緊締後の握持性等において、何がしかの改善を施す必要や要望があり、上記特許文献１のリール固定装置も、そうした内の緊締位置や操作性等を改善した装置である。
【０００４】
本発明は、リール足の緊締力を向上させて、リール保持の安定性を向上させることを目的とする。
【０００５】
【課題を解決するための手段】
上記目的に鑑みて本発明は、フード部にリールの足を受け入れて釣竿に対してリールを保持固定するためであって、ナット部材の回動操作によって前後方向に移動可能な移動フード体は、少なくとも前記フード部の長手方向範囲の環状部が、リール足を緊締することによって横断面形状が変形可能な可撓性部であり、更に移動フード体が釣竿に対して回動不能となる回り止め部を有していることを特徴とする釣竿を提供する。横断面形状が変形可能であっても、輪郭長さ寸法は実質的には不変である。
【０００６】
移動フード体のフード部長手方向範囲の環状部が、リール足を緊締することによって横断面形状が変形可能な可撓性部であるため、前後のフード内にリールの足を挿入して、移動フード体をナット部材で前後方向に移動させつつリール足を緊締させる操作において、該移動に伴って環状部が変形しつつリール足に馴染むように密着して行く。従って、リール足の緊締力を向上させて、リール保持の安定性を向上させることができる。この場合、変形中に移動フード体が回動しないように回り止め部を設けている。
【０００７】
【発明の実施の形態】
以下、本発明を添付図面に示す実施形態例に基づき、更に詳細に説明する。
図１は本発明に係る釣竿にリールを装着している最中のリール装着部位の部分縦断面図であり、一部部材を透き通らせて描いている。図２は図１の矢視線Ｂ−Ｂによる拡大横断面図である。竿杆１０は、エポキシ樹脂等の合成樹脂をマトリックスとし、炭素繊維等の強化繊維で強化した繊維強化樹脂製である。
【０００８】
この竿杆の適宜位置に筒状のリールシート本体１２を套嵌させて、接着等で固定して一体化させている。このリールシート本体の円周方向所定角度位置に、リール脚２０を載置させる載置面１２Ｒを設けており、その前後方向一側（この例では前側）には本体１２と一体の固定フード１４を設けている。一方、他側には、フード部１６Ｆを設けた移動フード体１６を配設している。この移動フード体の端部に回動自在に係合したナット部材１８はリールシート本体と螺合している。
【０００９】
更には、この例では、移動フード体のフード部とは径方向反対側内面に、中心方向に突出した凸部１６Ｔが形成されており、対面するリールシート本体１２の部位には、前後方向に沿った溝１２Ｍが形成されており、これらが係合して移動フード体はナット部材の回動によっても回転はせず、前後方向に移動するのみである。フード部１６Ｆの長手方向範囲の環状部１６Ｋは、この例では、ステンレス材の外皮部１６Ｂと、この内側に一体化されている合成樹脂材（例えば、ポリアミド樹脂）の内側部１６Ａとの２層構造を成している。環状部の長手方向幅は、３〜１５ｍｍ程度であり、この例では約１０ｍｍである。
【００１０】
未だリール足２０Ｆを緊締していない図１、図２の状態では、上記環状部１６Ｋの内面は、釣竿の一部である筒状リールシート本体１２の外周面との間に隙間（概ね均等な隙間とすれば０．３ｍｍ程度である）を有している。この状態からナット部材１８を回動させてリール足２０Ｆを十分に締め込むと、図３の状態になる。この図３も図１と同様に一部部材を透き通らせて描いている。図４は図３の矢視線Ｄ−Ｄによる拡大横断面図である。この図４に示されているように、環状部１６Ｋはその横断面形状が変形でき、リール足２０Ｆの外側表面に沿うように変形すると共に、リールシート本体の外周面にも極力沿わせて密着するように変形し、リール足の緊締が十分になって、保持固定の安定度が向上する。
【００１１】
図２や図４に示しているように、リール載置面１２Ｒはリール足の方向（外方向）に緩やかに凸となる曲面であるが、その左右縁部ＲＥは、この曲面に対してリール足の方向に凸となる凸部縁に形成されており、リール足が釣竿（のリールシート本体）に対して円周方向にずれ難くしている。これにより、リール保持の安定度が更に向上する。
【００１２】
上記ステンレス材の外皮部１６Ｂの代わりに真鍮材を使用することもできる。また、これら外皮部は０．３〜０．５ｍｍ程度の厚さであり、合成樹脂材の内側部１６Ａの厚さは０．５〜２．０ｍｍ程度であるが、環状部の横断面形状が復元可能であって変形可能な範囲の厚さと材料であればよい。外皮部は内側部の合成樹脂材を補強している。従って、既述の外皮部の金属材のみで環状部を形成しても、復元が可能な範囲の変形に留まる寸法形態であればよい。この場合は、環状部が薄くなるため、この移動フード部を握持しても、殆ど段差を感じなくて済み、把持感が向上する。更には、移動フード体１６の環状部以外の部位１６Ｇの表皮部に、コルク材等の柔軟部材や滑り止め部材を設けても良く、この場合、把持感が向上する。
【００１３】
金属製の外皮部１６Ｂは環状部の幅よりも狭い幅寸法にしてもよい。また、移動フード体と固定フードの前後位置関係を逆にしてもよく、また、前後両方とも移動フード体としてもよい。
【００１４】
【発明の効果】
以上の説明から明らかなように本発明によれば、リール足の緊締力を向上させて、リール保持の安定性を向上させることができる。
【図面の簡単な説明】
【図１】図１は本発明に係る釣竿にリールを装着させる途中の部分縦断面図である。
【図２】図２は図１の矢視線Ｂ−Ｂによる拡大横断面図である。
【図３】図３は本発明に係る釣竿にリールを装着させた部分縦断面図である。
【図４】図４は図３の矢視線Ｄ−Ｄによる拡大横断面図である。
【符号の説明】
１４                固定フード
１６                移動フード体
１６Ｆ              移動フード体のフード部
１６Ｋ              環状部
１６Ｔ              凸部（回り止め部）
１８                ナット部材
２０Ｆ              リール足
【図１】
2004248546.tif 000003
【図２】
2004248546.tif 000004
【図３】
2004248546.tif 000005
【図４】
2004248546.tif 000006